(57)【特許請求の範囲】
【請求項１】
容量結合カードと、リーダを備える電気機器と、前記容量結合カード及びリーダ間に介在される中継カードとを備える機器セキュリティシステムであって、
前記容量結合カードは、
電磁誘導方式又は電磁結合方式で通信可能な容量結合カードＩＣチップと、
前記容量結合カードＩＣチップに接続され、導電性を有する一対の容量結合カードプレートとを備え、
前記中継カードは、
電磁誘導方式又は電磁結合方式により通信する中継ループアンテナと、
前記中継ループアンテナの両端に接続され、導電性を有する一対の中継プレートとを備え、
前記電気機器は、
前記リーダに設けられ、電磁誘導方式又は電磁結合方式により通信するリーダループアンテナと、
制御部とを備え、
利用者によって、前記容量結合カード及び前記中継カードが重ねられた組みカードの状態で、前記リーダに配置されることにより、前記容量結合カードプレート及び前記中継プレートが静電結合方式で信号伝達し、前記中継ループアンテナ及び前記リーダループアンテナが電磁誘導方式又は電磁結合方式で信号伝達し、前記制御部が前記容量結合カードＩＣチップとの間で通信処理をし、前記通信処理の結果が適正であると判定した場合に、前記電気機器の所定の動作を許可すること、
を特徴とする機器セキュリティシステム。
【請求項２】
請求項１に記載の機器セキュリティシステムにおいて、
前記中継カードは、電磁誘導方式又は電磁結合方式で通信可能な中継カードＩＣチップを備え、
前記制御部は、
前記容量結合カードＩＣチップに加えて、前記中継ループアンテナ及び前記リーダループアンテナが電磁誘導方式又は電磁結合方式で信号伝達することより、前記中継カードＩＣチップとの間で通信処理をし、
前記容量結合カードＩＣチップに加えて、前記中継カードＩＣチップとの間の前記通信処理の結果が適正であると判定した場合に、前記電気機器の所定の動作を許可すること、
を特徴とする機器セキュリティシステム。
【請求項３】
請求項２に記載の機器セキュリティシステムにおいて、
前記制御部は、前記中継カードＩＣチップとの間の前記通信処理の結果が適正であると判定した後に、前記容量結合カードＩＣチップとの間で前記通信処理をすること、
を特徴とする機器セキュリティシステム。
【請求項４】
請求項３に記載の機器セキュリティシステムにおいて、
利用者に対する報知部を備え、
前記制御部は、前記中継カードＩＣチップとの間の前記通信処理の結果が適正であると判定した後に、前記報知部を制御して、前記容量結合カードを前記中継カード上に載置するように報知すること、
を特徴とする機器セキュリティシステム。
【請求項５】
請求項２から請求項４のいずれかに記載の機器セキュリティシステムにおいて、
前記中継カードは、
前記電気機器を管理する管理者が所持し、
前記中継カードＩＣチップは、前記管理者を識別する情報を記憶し、
前記容量結合カードは、
前記管理者が管理する人が所持し、
前記容量結合カードＩＣチップは、前記人を識別する情報を記憶すること、
を特徴とする機器セキュリティシステム。
【請求項６】
請求項１から請求項５のいずれかに記載の機器セキュリティシステムにおいて、
前記中継カードのカード外形と、前記容量結合カードの外形とは、等しく、
前記中継カードと前記容量結合カードとの外形を合わせるように重ねた状態において、前記一対の中継プレートと前記一対の容量結合カードプレートとが向き合うこと、
を特徴とする機器セキュリティシステム。
【請求項７】
請求項１から請求項６のいずれかに記載の機器セキュリティシステムにおいて、
前記電気機器は、複合機であること、
を特徴とする機器セキュリティシステム。
【請求項８】
電磁誘導方式又は電磁結合方式により通信する中継ループアンテナと、
前記中継ループアンテナの両端に接続され、導電性を有する一対の中継プレートと、
前記中継ループアンテナの両端に接続され、電磁誘導方式又は電磁結合方式で通信可能な中継カードＩＣチップとを備え、
前記中継カードＩＣチップの情報を、前記中継ループアンテナを介して電気機器に送信し、
他のカードのＩＣチップの情報を、前記一対の中継プレートを介して取得し、前記中継ループアンテナを介して電気機器に送信すること、
を特徴とする中継カード。
【請求項９】
請求項８に記載の中継カードにおいて、
この中継カードのカード外形と、他のカードの外形とは、等しく、
この中継カードと他のカードとの外形を合わせるように重ねた状態において、一対の中継プレートと、他のカードの導電性を有する一対のプレートとが向き合うこと、
を特徴とする中継カード。
【発明の詳細な説明】
【技術分野】
【０００１】
本発明は、電磁誘導方式又は電磁結合方式のＩＣチップを利用する機器セキュリティシステム、中継カード、容量結合カードに関するものである。
【背景技術】
【０００２】
従来、利用者が所持するＩＣカードを電磁誘導方式によって読み取る（又は書き込む）通信システムがあった（例えば特許文献１）。このような通信システムのＩＣカードは、少なくとも非接触通信機能を有するＩＣチップとアンテナコイルにより構成されており、ＩＣカード内に具備されたＩＣチップは、リーダライタから送出された信号より駆動電力の供給を受け、リーダライタから送出されるアナログ信号を受信しデジタル変換し、応答信号を返送することによりデータ送受信を実現している。非接触ＩＣカードは、セキュリティシステム等の各種システムで用いられている。
非接触ＩＣカード用いた通信方式としては、通信周波数帯域に応じて、電磁結合方式、静電結合方式、電磁誘導方式、電波方式が用いられており、カード形態の非接触ＩＣ通信システムでは、電磁誘導方式が主流となっている。
しかし、電磁誘導方式の通信システムは、ＩＣカードのアンテナコイルをエッチング等により形成するため高コストであった。
【先行技術文献】
【特許文献】
【０００３】
【特許文献１】特開２０００−１２３１２１号公報
【発明の概要】
【発明が解決しようとする課題】
【０００４】
本発明の課題は、電磁誘導方式又は電磁結合方式のＩＣチップを利用する機器セキュリティシステム、中継カード、容量結合カードを低コストで実現することである。
【課題を解決するための手段】
【０００５】
本発明は、以下のような解決手段により、課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。
【０００６】
・第１の発明は、容量結合カード（４０，１４０，２４０）と、リーダ（２０，１２０）を備える電気機器（１０，１１０，２１０）と、前記容量結合カード及びリーダ間に介在される中継カード（３０，１３０，２３０）とを備える機器セキュリティシステムであって、前記容量結合カードは、電磁誘導方式又は電磁結合方式で通信可能な容量結合カードＩＣチップ（４１，１４１，２４１）と、前記容量結合カードＩＣチップに接続され、導電性を有する一対の容量結合カードプレート（４２Ａ，４２Ｂ，１４２Ａ，１４２Ｂ，２４２Ａ，２４２Ｂ）とを備え、前記中継カードは、電磁誘導方式又は電磁結合方式により通信する中継ループアンテナ（３３，１３３，２３３）と、前記中継ループアンテナの両端に接続され、導電性を有する一対の中継プレート（３２Ａ，３２Ｂ，１３２Ａ，１３２Ｂ，２３２Ａ，２３２Ｂ）とを備え、前記電気機器は、前記リーダに設けられ、電磁誘導方式又は電磁結合方式により通信するリーダループアンテナ（２３，１２３）と、制御部（１５，１１５，２１５）とを備え、利用者によって、前記容量結合カード及び前記中継カードが重ねられた組みカード（５０，１５０，２５０）の状態で、前記リーダに配置されることにより、前記容量結合カードプレート及び前記中継プレートが静電結合方式で信号伝達し、前記中継ループアンテナ及び前記リーダループアンテナが電磁誘導方式又は電磁結合方式で信号伝達し、前記制御部が前記容量結合カードＩＣチップとの間で通信処理をし、前記通信処理の結果が適正であると判定した場合に、前記電気機器の所定の動作を許可すること、を特徴とする機器セキュリティシステムである。
・第２の発明は、第１の発明の機器セキュリティシステムにおいて、前記中継カード（３０，１３０，２３０）は、電磁誘導方式又は電磁結合方式で通信可能な中継カードＩＣチップ（３１，１３１，２３１）を備え、前記制御部（１５，１１５，２１５）は、前記容量結合カードＩＣチップ（４１，１４１，２４１）に加えて、前記中継ループアンテナ（３３，１３３，２３３）及び前記リーダループアンテナ（２３，１２３）が電磁誘導方式又は電磁結合方式で信号伝達することより、前記中継カードＩＣチップとの間で通信処理をし、前記容量結合カードＩＣチップに加えて、前記中継カードＩＣチップとの間の前記通信処理の結果が適正であると判定した場合に、前記電気機器（１０，１１０，２１０）の所定の動作を許可すること、を特徴とする機器セキュリティシステムである。
・第３の発明は、第２の発明の機器セキュリティシステムにおいて、前記制御部（１１５，２１５）は、前記中継カードＩＣチップ（１３１，２３１）との間の前記通信処理の結果が適正であると判定した（Ｓ３ａ：ＹＥＳ，Ｓ２０３ａ：ＹＥＳ）後に、前記容量結合カードＩＣチップ（４１，１４１，２４１）との間で前記通信処理をすること、を特徴とする機器セキュリティシステムである。
・第４の発明は、第３の発明の機器セキュリティシステムにおいて、利用者に対する報知部（１１３）を備え、前記制御部（１１５，２１５）は、前記中継カードＩＣチップとの間の前記通信処理の結果が適正であると判定した（Ｓ３ａ：ＹＥＳ，Ｓ２０３ａ：ＹＥＳ）後に、前記報知部（１１３）を制御して、前記容量結合カードを前記中継カード上に載置するように報知すること（Ｓ３ｂ，Ｓ２０３ｂ）、を特徴とする機器セキュリティシステムである。
【０００７】
・第５の発明は、電磁誘導方式又は電磁結合方式で通信可能な容量結合カードＩＣチップ（４１，１４１，２４１）と、前記容量結合カードＩＣチップに接続され、導電性を有する一対の容量結合カードプレート（４２Ａ，４２Ｂ，１４２Ａ，１４２Ｂ，２４２Ａ，２４２Ｂ）とを備える容量結合カード（４０，１４０，２４０）と、リーダ（２０，１２０）と、前記リーダに設けられ、電磁誘導方式又は電磁結合方式により通信するリーダループアンテナ（２３，１２３）と、制御部（１５，１１５，２１５）とを備える電気機器（１０，１１０，２１０）と、を備える機器セキュリティシステムに使用される中継カードであって、電磁誘導方式又は電磁結合方式により通信する中継ループアンテナ（３３，１３３，２３３）と、前記中継ループアンテナの両端に接続され、導電性を有する一対の中継プレート（３２Ａ，３２Ｂ，１３２Ａ，１３２Ｂ，２３２Ａ，２３２Ｂ）とを備え、利用者によって、前記容量結合カード及びこの中継カードが重ねられた組みカード（５０，１５０，２５０）の状態で、前記リーダに配置されることにより、前記容量結合カードプレート及び前記中継プレートが静電結合方式で信号伝達し、前記中継ループアンテナ及び前記リーダループアンテナが電磁誘導方式又は電磁結合方式で信号伝達し、前記制御部が前記容量結合カードＩＣチップとの間で通信処理をし、前記制御部は、前記容量結合カードＩＣチップとの間の前記通信処理の結果が適正であると判定した場合に、前記電気機器の所定の動作を許可すること、を特徴とする中継カードである。
【０００８】
・第６の発明は、電磁誘導方式又は電磁結合方式により通信する中継ループアンテナ（３３，１３３，２３３）と、前記中継ループアンテナの両端に接続され、導電性を有する一対の中継プレート（３２Ａ，３２Ｂ，１３２Ａ，１３２Ｂ，２３２Ａ，２３２Ｂ）とを備える中継カード（３０，１３０，２３０）と、リーダ（２０，１２０）と、前記リーダに設けられ、電磁誘導方式又は電磁結合方式により通信するリーダループアンテナ（２３，１２３）と、制御部（１５，１１５，２１５）とを備える電気機器（１０，１１０，２１０）と、を備える機器セキュリティシステムに使用される容量結合カードであって、電磁誘導方式又は電磁結合方式で通信可能な容量結合カードＩＣチップ（４１，１４１，２４１）と、前記容量結合カードＩＣチップに接続され、導電性を有する一対の容量結合カードプレート（４２Ａ，４２Ｂ，１４２Ａ，１４２Ｂ，２４２Ａ，２４２Ｂ）とを備え、利用者によって、この容量結合カード及び前記中継カードが重ねられた組みカード（５０，１５０，２５０）の状態で、前記リーダに配置されることにより、前記容量結合カードプレート及び前記中継プレートが静電結合方式で信号伝達し、前記中継ループアンテナ及び前記リーダループアンテナが電磁誘導方式又は電磁結合方式で信号伝達し、前記制御部が前記容量結合カードＩＣチップとの間で通信処理をし、前記制御部は、前記容量結合カードＩＣチップとの間の前記通信処理の結果が適正であると判定した場合に、前記電気機器の所定の動作を許可すること、を特徴とする容量結合カードである。
【０００９】
・第７の発明は、容量結合カード（３４０，４４０−１〜４４０−３）と、リーダ（３２０，４２０）を備える電気機器（３１０，４１０）とを備える機器セキュリティシステムであって、前記容量結合カードは、電磁誘導方式又は電磁結合方式で通信可能な容量結合カードＩＣチップ（３４１，４４１−１〜４４１−３）と、前記容量結合カードＩＣチップに接続され、導電性を有する一対の容量結合カードプレート（３４２Ａ，３４２Ｂ，４４２Ａ（４４２Ａ−１〜４４２Ａ−３），４４２Ｂ（４４２Ｂ−１〜４４２Ｂ−３））とを備え、前記リーダは、電磁誘導方式又は電磁結合方式により信号伝達する中継ループアンテナ（３３３，４３３）と、前記中継ループアンテナの両端に接続され、導電性を有する一対の中継プレート（３３２Ａ，３３２Ｂ，４３２Ａ，４３２Ｂ）と、前記中継ループアンテナに向かい合うように配置され、電磁誘導方式又は電磁結合方式により通信するリーダループアンテナ（３２３，４２３）とを備え、前記電気機器は、前記電気機器の所定の動作を制御する制御部（３１５，４１５）を備え、利用者によって、前記容量結合カードが前記リーダ上に配置されることにより、前記容量結合カードプレート及び前記中継プレートが静電結合方式で信号伝達し、前記中継ループアンテナ及び前記リーダループアンテナが電磁誘導方式又は電磁結合方式で信号伝達し、前記制御部が前記容量結合カードＩＣチップとの間で通信処理をし、前記通信処理の結果が適正であると判定した場合に、前記電気機器の所定の動作を許可すること、を特徴とする機器セキュリティシステムである。
【発明の効果】
【００１０】
本発明によれば、電磁誘導方式又は電磁結合方式のＩＣチップを利用する機器セキュリティシステムを低コストで実現することができる。
【図面の簡単な説明】
【００１１】
【図１】第１実施形態の機器セキュリティシステム１の基本構成を説明する図である。
【図２】第１実施形態の中継カード３０、容量結合カード４０の平面図、断面図である。
【図３】第１実施形態の電磁カード６０の平面図、電磁カード６０の通信方法を説明する斜視図である。
【図４】第１実施形態の複合機セキュリティシステム１０１のブロック図である。
【図５】第１実施形態の貸出カードテーブル１１４ａ、パートカードテーブル１１４ｂ、単独カードテーブル１１４ｃを示す表である。
【図６】第１実施形態の複合機セキュリティシステム１０１の動作を示すフローチャートである。
【図７】第２実施形態の複合機セキュリティシステム２０１のブロック図である。
【図８】第２実施形態の管理者テーブル２１４ａ、パートカードテーブル２１４ｂを示す表である。
【図９】第２実施形態の複合機セキュリティシステム２０１の動作を示すフローチャートである。
【図１０】第３実施形態の機器セキュリティシステム３０１の基本構成を説明する図（図１に対応する図）である。
【図１１】第３実施形態の複合機セキュリティシステム４０１のブロック図である。
【図１２】第３実施形態の複合機セキュリティシステム４０１の動作を示すフローチャートである。
【発明を実施するための形態】
【００１２】
（第１実施形態）
以下、図面等を参照して、本発明の第１実施形態について説明する。
（基本構成）
最初に、第１実施形態の機器セキュリティシステム１の通信方法の基本構成について説明する。
図１は、第１実施形態の機器セキュリティシステム１の基本構成を説明する図である。
図１（ａ）は、機器セキュリティシステム１の通信方法を説明する斜視図である。
図１（ｂ）は、機器セキュリティシステム１の通信方法を説明する概念図である。
図２は、第１実施形態の中継カード３０、容量結合カード４０の平面図、断面図である。
図２（ａ）は、中継カード３０の平面図（図２（ａ１））、断面図（図２（ａ２））である。
図２（ｂ）は、容量結合カード４０の平面図（図２（ｂ１））、断面図（図２（ｂ２））である。
図３は、第１実施形態の電磁カード６０の平面図（図３（ａ））、電磁カード６０の通信方法を説明する斜視図（図３（ｂ））である。
なお、実施形態では、カード表面の法線方向を鉛直方向Ｚ（法線方向）、カード長手方向を左右方向Ｘ、短手方向を縦方向Ｙとし、カード表面を鉛直方向Ｚから見た図を適宜平面図といい、平面図の形状を適宜平面形状という。
図１から図３に示すように、機器セキュリティシステム１は、電気機器１０、リーダライタ２０（電磁誘導通信装置）、中継カード３０、容量結合カード４０、電磁カード６０を備える。
【００１３】
図１に示すように、電気機器１０は、所定の機能（例えば、ＦＡＸ、コピー等）を有する装置である。電気機器１０は、リーダライタ２０の情報に基づいて動作する。電気機器１０、リーダライタ２０は、一体的に構成しても、別々の装置にして通信ケーブル等によって接続してもよい。
電気機器１０は、駆動部１２、記憶部１４、制御部１５を備える。
駆動部１２は、電気機器１０の上記所定の機能に関する駆動部である。
記憶部１４は、電気機器１０、リーダライタ２０の動作に必要なプログラム、情報等を記憶する半導体メモリ素子等の記憶装置である。記憶部１４は、容量結合カード４０に書き込む情報や、容量結合カード４０と照合する情報等を記憶している。
制御部１５は、電気機器１０、リーダライタ２０を統括的に制御する制御部であり、例えばＣＰＵ等から構成される。制御部１５は、記憶部１４に記憶された各種プログラムを適宜読み出して実行することにより、前述したハードウェアと協働し、本発明に係る各種機能を実現している。
【００１４】
リーダライタ２０は、従来の電磁誘導方式で信号伝達するものと同様の装置である。リーダライタ２０は、利用者がカードを載置するタイプでもよく、挿入するスロットタイプでもよい。実施形態では、載置できるタイプの例を説明する。
リーダライタ２０は、Ｒ／Ｗループアンテナ２３（リーダループアンテナ）を備える。
Ｒ／Ｗループアンテナ２３は、例えば、３回巻き程度のループアンテナであり、大きさが４５ｍｍ（左右方向Ｘ）×５５ｍｍ（縦方向Ｙ）程度である。Ｒ／Ｗループアンテナ２３は、例えばエッチング等の手法により、プリント配線基板上に銅パターンを配線して形成される。Ｒ／Ｗループアンテナ２３の両端の端子は、制御部１５に接続される。
【００１５】
図１、図２に示すように、中継カード３０は、リーダライタ２０及び容量結合カード４０間の信号伝達を可能にするカードである。中継カード３０の平面形状は、ほぼ矩形であり、例えば、クレジットカード等と同じように、カード外形が８５．６ｍｍ（左右方向Ｘ）×５４ｍｍ（縦方向Ｙ）である。また、中継カード３０は、例えば、厚みが０．２〜０．８ｍｍ程度であり、カード状に形成される。
なお、中継カードの厚みは薄い方が中継カードと容量結合カードとを重ね合わせた際のプレート間距離が狭まり、安定した信号伝達が可能となる為、０．４ｍｍ以下が望ましい。
中継カード３０は、中継カードＩＣチップ３１、一対の中継プレート３２Ａ，３２Ｂ、中継ループアンテナ３３、基板３４、上層３５、下層３６を備える。
中継カードＩＣチップ３１は、電磁誘導方式で信号伝達可能な集積回路であり、従来の電磁誘導方式のＩＣカードに内蔵されているものと、同種のものである。中継カードＩＣチップ３１は、中継カード３０の動作に必要なプログラム、中継カード３０の識別情報等を記憶する記憶部と、この記憶部に記憶された各種プログラムを適宜読み出して実行することにより、中継カード３０を統括的に制御する制御部とを備える。なお、この記憶部は、記憶情報の読み出し専用のタイプでも、記憶情報を書き換え可能のタイプでもよい。
【００１６】
図２（ａ）に示すように、中継カードＩＣチップ３１は、厚さが例えば１５０μｍ程度である。中継カードＩＣチップ３１は、基板３４上面に実装されている。ＩＣチップ４１は、中継ループアンテナ３３の両端に、電気的に接続されている。
中継カードＩＣチップ３１の入出力部（リードフレーム等）は、基板３４に対して、異方性導電性ペースト、異方性導電性フィルム、導電性接着剤等の接続部材３１ａによって、それぞれ電気的及び機械的に接続されている。
【００１７】
中継プレート３２Ａ，３２Ｂは、それぞれ厚さ１０μｍ、平面形状が２０ｍｍ×２０ｍｍの導電性部材である。中継プレート３２Ａ，３２Ｂは、例えば、エッチング等の手法により基板３４上面に導電性材料である銅を薄く形成したり、導電性を有するアルミニウム箔等を基板３４上面に貼付して形成される。なお、中継プレート３２Ａ，３２Ｂを、エッチングにより形成する場合には、両面エッチングによって、中継ループアンテナ３３と同時に形成できる。
各中継プレート３２Ａ，３２Ｂは、それぞれ中継ループアンテナ３３の両端に電気的に接続されている。中継プレート３２Ａ，３２Ｂは、細長いスリット（例えば幅１ｍｍ程度）を介して、縦方向Ｙに並べるように配列されている。
中継プレート３２Ａ，３２Ｂは、容量結合カード４０の容量結合カードプレート４２Ａ，４２Ｂ（後述する）にほぼ密着し（例えば、中継プレート３２Ａ，３２Ｂの上面と、容量結合カードプレート４２Ａ，４２Ｂの下面との距離が２ｍｍ程度）、かつ、この容量結合カードプレート４２Ａ，４２Ｂが向かい合うように配置（対向配置）されることにより、容量結合カードプレート４２Ａ，４２Ｂと静電結合する。
【００１８】
中継ループアンテナ３３は、例えば、３回巻き程度のループアンテナであり、大きさが４５ｍｍ（左右方向Ｘ）×５５ｍｍ（縦方向Ｙ）程度である。中継ループアンテナ３３は、例えばエッチング等の手法により、基板３４下面に銅パターンを配線して形成される。中継ループアンテナ３３の両端部は、スルーホール３３ａ，３３ｂによって基板３４上面に導通し、中継カードＩＣチップ３１、中継プレート３２Ａ，３２Ｂに電気的に接続されている。
図２（ａ）に示すように、平面図において、中継ループアンテナ３３は、中継プレート３２Ａ，３２Ｂに重複しないように配置されている。このため、中継ループアンテナ３３及びＲ／Ｗループアンテナ２３は、中継プレート３２Ａ，３２Ｂによって、磁界が遮られることなく、安定して信号伝達できる。
なお、図２（ａ）では、中継ループアンテナ３３と中継プレート３２Ａ、３２Ｂとが重複しない例を示したが、後述するように、中継プレートを中継ループアンテナ内に配置しても構わない。
【００１９】
なお、Ｒ／Ｗループアンテナ２３及び中継ループアンテナ３３の巻数は、３巻程度である例を説明したが、これに限定されない。両者の間が電磁誘導方式により非接触で接続される巻数であればよく、巻数は、例えば１巻以上であればよい。
【００２０】
基板３４は、中継カードＩＣチップ３１を実装し、中継ループアンテナ３３、中継プレート３２Ａ，３２Ｂを形成するためのプリント配線基板である。
上層３５、下層３６は、基板３４の上面、下面に積層される部材である。上層３５、下層３６は、例えば、ＰＥＴ、ＰＥＴ−Ｇ、ＰＶＣ、ポリイミド、紙材等の絶縁性フィルム基材である。上層３５、下層３６は、接着材３７ａ，３７ｂ（液状、フィルム状の接着剤や、粘着剤等）によって基板３４に接着されている。
【００２１】
図２（ｂ）に示すように、容量結合カード４０は、外部接触端子を備えない非接触型のカードである。容量結合カード４０の平面形状、つまりカード外形は、中継カード３０と同じである。また、容量結合カード４０は、例えば、厚みが０．２〜０．８ｍｍ以下であり、中継カード３０と同じか、又はこれよりも厚い。
なお、容量結合カードの厚みは薄い方が中継カードと容量結合カードとを重ね合わせた際のプレート間距離が狭まり、安定した信号伝達が可能となるため、０．４ｍｍ以下が望ましい。
容量結合カード４０は、容量結合カードＩＣチップ４１、一対の容量結合カードプレート４２Ａ，４２Ｂ、上層４５、下層４６を備える。
容量結合カードＩＣチップ４１は、中継カードＩＣチップ３１と同様な電磁誘導方式で通信可能なＩＣチップであり、記憶部、制御部を備える。記憶部には、容量結合カード４０の識別情報等が記憶されている。容量結合カードＩＣチップ４１は、容量結合カードプレート４２Ａ，４２Ｂ間のスリットを跨ぐように配置されている。
なお、容量結合カードＩＣチップ４１と中継カードＩＣチップ３１の通信方式は、同一であっても異なる通信方式であっても、同一周波数の搬送波を用いた通信方式であれば、いずれでも構わない。
容量結合カードＩＣチップ４１の入出力部（リードフレーム等）は、容量結合カードプレート４２Ａ，４２Ｂに対して、異方性導電性ペースト、異方性導電性フィルム、導電性接着剤等の接続部材４１ａによって、それぞれ電気的及び機械的に接続されている。なお、容量結合カードＩＣチップ４１が電磁誘導方式のものであるため、この入出力部は、本来、ループアンテナに接続されるものである。
【００２２】
容量結合カードプレート４２Ａ，４２Ｂは、それぞれ厚さ１０μｍ、短辺×長辺が２０ｍｍ×２０ｍｍのアルミニウム箔である。容量結合カードプレート４２Ａ，４２Ｂは、下層４６に貼り付けられている。容量結合カードプレート４２Ａ，４２Ｂは、細長いスリット（例えば幅０．５ｍｍ程度）を介して、縦方向Ｙに並べるように配列されている。
図２（ｂ１）に示すように、平面図において、容量結合カードプレート４２Ａ，４２Ｂは、中継プレート３２Ａ，３２Ｂと同様な位置に配置されている。また、前述したように、中継カード３０、容量結合カード４０は、外形が同じである。このため、中継カード３０、容量結合カード４０をカード外形が合うように重ね合わせた状態では、容量結合カードプレート４２Ａ，４２Ｂ、中継プレート３２Ａ，３２Ｂは、向かい合うように配置される。
尚、図２（ａ）、図２（ｂ）では、中継プレート３２Ａ,３２Ｂ、容量結合カードプレート４２Ａ,４２Ｂを中継カード及び容量結合カードの端部に配置した例を示したが、カードの中央部、即ち、中継ループアンテナの中央部に配置しても構わない。プレートをカード中央部に配置することにより、中継カードと容量結合カードとの重ね方に関わらず、プレート同士を向かい合わせることが可能となり、カード利用者の利便性が増す。
【００２３】
図２（ｂ）に示すように、上層４５、下層４６は、ＰＥＴ、ＰＥＴ−Ｇ、ＰＶＣ、ポリイミド、紙等の絶縁性フィルム基材である。下層４６は、容量結合カード４０の基材である。上層４５は、容量結合カードＩＣチップ４１、容量結合カードプレート４２Ａ，４２Ｂを覆うように、接着材４７（液状、フィルム状の接着剤や、粘着剤等）によって下層４６に貼り付けられている。
【００２４】
図３（ａ）に示すように、電磁カード６０は、従来の電磁誘導方式のＩＣカードと同様な構成である。電磁カード６０は、中継カード３０から中継プレート３２Ａ，３２Ｂを取り除いたような構成であり、中継カードＩＣチップ３１、中継ループアンテナ３３、基板３４、上層３５、下層３６とそれぞれ同様な、電磁カードＩＣチップ６１、電磁カードループアンテナ６３を備える。電磁カード６０の詳細な説明は、省略する。
【００２５】
次に、機器セキュリティシステム１の基本的な通信方法について説明する。
（組みカード５０による通信方法）
図１に示すように、利用者は、中継カード３０、容量結合カード４０を、外形を合わせるように重ね合わせた組みカード５０を、リーダライタ２０上に載置する。
このとき、利用者は、予め組みカード５０の状態にしてリーダライタ２０上に載置してもよく、また、中継カード３０、容量結合カード４０の順に、又は容量結合カード４０、中継カード３０の順にリーダライタ２０上に載置して、組みカード５０の状態にしてもよい。
（リーダライタ２０及び中継カード３０間の接続）
Ｒ／Ｗループアンテナ２３及び中継ループアンテナ３３間は、電磁誘導方式により非接触で接続され、情報の送受信をすることができる。電磁誘導方式を用いた容量結合カード４０の通信方式は、ＩＳＯ／ＩＥＣ１４４４３，ＩＳＯ／ＩＥＣ１５６９３，ＩＳＯ／ＩＥＣ１８０９２にて規格化されており、１３．５６ＭＨｚの信号周波数が用いられる。
中継ループアンテナ３３及びＲ／Ｗループアンテナ２３間の電磁誘導により、中継ループアンテナ３３に発生した起電力によって、中継カードＩＣチップ３１に駆動電力及び信号が伝達される。これにより、中継カードＩＣチップ３１が駆動するとともに、リーダライタ２０からの送信データが中継カードＩＣチップ３１に伝達され、一方、中継カードＩＣチップ３１からの返信データがリーダライタ２０に伝達される。
なお、リーダライタ２０及び中継カード３０間で通信する場合には、必ずしも組みカード５０の状態にする必要はなく、中継カード３０単独でリーダライタ２０と通信することもできる。
【００２６】
（中継カード３０及び容量結合カード４０間の接続）
中継プレート３２Ａ，３２Ｂ及び容量結合カードプレート４２Ａ，４２Ｂは、向かい合わせることによりコンデンサプレートとして機能して、両者の間が静電結合方式により非接触で接続され、信号伝達をすることができる。
【００２７】
中継ループアンテナ３３及びＲ／Ｗループアンテナ２３間の電磁誘導により、中継ループアンテナ３３に起電力が発生し、中継プレート３２Ａ，３２Ｂ及び容量結合カードプレート４２Ａ，４２Ｂが向かい合うことにより静電結合し、容量結合カードＩＣチップ４１に駆動電力及び信号が伝達される。これにより、容量結合カードＩＣチップ４１は駆動するとともに、リーダライタ２０からの送信データが、中継カード３０を介して、容量結合カードＩＣチップ４１に伝達され、一方、容量結合カードＩＣチップ４１からの返信データが、中継カード３０を介してリーダライタ２０に伝達される。
【００２８】
以上により、制御部１５は、中継カードＩＣチップ３１及び容量結合カードＩＣチップ４１との間で、通信処理を行うことができる。また、中継カードＩＣチップ３１、容量結合カードＩＣチップ４１が書き換え可能である場合には、制御部１５は、これらの情報を更新できる。
なお、制御部１５は、実際には、中継カードＩＣチップ３１、容量結合カードＩＣチップ４１の内、一方のカード種別と関連するコードを含むデータ送信を行うことにより、片方ずつステップ的に通信する。
【００２９】
（リーダライタ２０及び電磁カード６０単独による通信方法）
図３（ｂ）に示すように、利用者は、電磁カード６０を単独でリーダライタ２０上に載置する。Ｒ／Ｗループアンテナ２３及び電磁カードループアンテナ６３間の接続は、従来の電磁誘導方式によるものと同様である。つまり、Ｒ／Ｗループアンテナ２３及び電磁カードループアンテナ６３間の通信方式は、前述したリーダライタ２０及び中継カード３０間の接続と同様に、ＩＳＯ／ＩＥＣ１４４４３，ＩＳＯ／ＩＥＣ１５６９３，ＩＳＯ／ＩＥＣ１８０９２にて規格化されたものである。詳細な説明は、省略する。
【００３０】
次に、機器セキュリティシステム１を利用した複合機セキュリティシステム１０１について説明する。
なお、以下の説明及び図面において、前述した機器セキュリティシステム１と同様の機能、処理を果たす部分には、末尾（下２桁）に同一の符号を付して、重複する説明を適宜省略する。
図４は、第１実施形態の複合機セキュリティシステム１０１のブロック図である。
図５は、第１実施形態の貸出カードテーブル１１４ａ、パートカードテーブル１１４ｂ、単独カードテーブル１１４ｃを示す表である。
【００３１】
図４に示すように、複合機セキュリティシステム１０１は、会社内において、管理者と、管理者に管理されるパートとが、ＦＡＸ機能及びコピー機能を有する複合機を使用するシステムである。パートとはパートタイマーのことで、例えば短時間労働者のことを指す。ここでパートカードとは、パートタイマーが使用するカードであり、管理者下に置かれる人であれば、パートであっても、アルバイト、従業員であっても良い。本明細書では、これら全ての場合においてパートカードと定義する。複合機セキュリティシステム１０１は、以下２つの使用形態がある。
・管理者使用の場合：管理者が、単独カード１６０単独で利用する。
・パート使用の場合：パートが、管理者から貸出カード１３０を借りて、貸出カード１３０、パートカード１４０の両方を使用して、組みカード１５０の状態で利用する。
これらの詳細は、後述する。
【００３２】
複合機セキュリティシステム１０１は、複合機１１０（電気機器）、貸出カード１３０（中継カード）、パートカード１４０（容量結合カード）、単独カード１６０（電磁カード）を備える。なお、実際には、貸出カード１３０、単独カード１６０は、複数の管理者がそれぞれ所持するが、図４には、１枚のみを図示した。同様に、パートカード１４０は、複数のパートがそれぞれ所持するが、１枚のみを図示した。
【００３３】
複合機１１０は、操作部１１１、駆動部１１２、報知部１１３、複合機記憶部１１４、複合機制御部１１５、リーダライタ１２０を備える。
操作部１１１は、利用者が操作する入力装置である。操作部１１１は、ＦＡＸ、コピーの操作ボタン等を備える。操作部１１１は、操作情報を複合機制御部１１５に出力する。
駆動部１１２は、ＦＡＸ部１１２ａ、コピー部１１２ｂを備える。
ＦＡＸ部１１２ａは、ＦＡＸ機能に係る各種装置（送受信回路、原稿読み取り装置等）を備える。
コピー部１１２ｂは、コピー機能に係る各種装置（原稿読み取り装置、コピー紙送り機構等）を備える。
報知部１１３は、液晶表示装置等の表示装置、スピーカ等の音声出力装置である。
【００３４】
複合機記憶部１１４は、複合機１１０の動作に必要なプログラム、情報等を記憶するハードディスク、半導体メモリ素子等の記憶装置である。
複合機記憶部１１４は、貸出カードテーブル１１４ａ、パートカードテーブル１１４ｂ、単独カードテーブル１１４ｃを備える。
【００３５】
図５に示すように、貸出カードテーブル１１４ａは、貸出カード１３０の貸出カード識別情報１３１ｂ（後述する）と、管理者名とを対応付けて記憶する。この例では、貸出カード識別情報Ａ１〜Ｃ１と、管理者名古田、野田、野口とがそれぞれ対応付けられている。
パートカードテーブル１１４ｂは、パートカード１４０のパートカード識別情報１４１ｂ（後述する）と、パート名とを対応付けて記憶する。この例では、パートカード識別情報ａ〜ｃと、パート名鈴木、佐藤、加藤とがそれぞれ対応付けられている。
単独カードテーブル１１４ｃは、単独カード１６０の単独カード識別情報１６１ｂ（後述する）と、管理者名とを対応付けて記憶する。この例では、単独カード識別情報Ａ２〜Ｃ２と、管理者名古田、野田、野口とがそれぞれ対応付けられている。
なお、実際には、各テーブルには、他の管理者、又は他のパートの情報を有しているが、実施形態では、説明を簡略する。
各テーブルは、この複合機セキュリティシステム１０１を管理するシステム管理者により管理されている。システム管理者は、管理者の変更や、パートの新たな雇用、退職の場合等に、各テーブルを更新する。
【００３６】
図４に示すように、複合機制御部１１５は、複合機１１０を統括的に制御する制御装置である。複合機制御部１１５の処理の詳細は、後述する。
貸出カード１３０は、中継カード３０に対応するカードである。
貸出カード１３０は、貸出カードＩＣチップ１３１、貸出カードプレート１３２Ａ，１３２Ｂ（中継プレート）、貸出カードループアンテナ１３３（中継ループアンテナ）を備える。
【００３７】
貸出カードＩＣチップ１３１は、貸出カード記憶部１３１ａ、貸出カード制御部１３１ｄ、アナログ回路１３１ｅを備える。
貸出カード記憶部１３１ａは、貸出カード識別情報１３１ｂを記憶する。
貸出カード識別情報１３１ｂは、各貸出カード１３０の種類の識別情報、つまり各管理者の識別情報である（図５（ａ）に示す貸出カード識別情報Ａ１〜Ｃ１参照）。
貸出カード制御部１３１ｄは、貸出カード１３０を統括的に制御する制御部である。
アナログ回路１３１ｅは、整流回路、変調回路、復調回路、ＣＬＫ抽出回路等により構成されている。アナログ回路１３１ｅは、ＩＣチップ入出力端子を介して入力された信号に対して、ＡＤ変換、クロック生成等を行い、貸出カード制御部１３１ｄへの電圧供給、クロック供給、データ入出力等を行う。
【００３８】
パートカード１４０は、容量結合カード４０に対応するカードである。
パートカード１４０は、パートカードＩＣチップ１４１、パートカードプレート１４２Ａ，１４２Ｂを備える。
パートカードＩＣチップ１４１は、パートカード記憶部１４１ａ、パートカード制御部１４１ｄ、アナログ回路１４１ｅを備える。
パートカード記憶部１４１ａは、パートカード識別情報１４１ｂを記憶する。
パートカード識別情報１４１ｂは、各パートカード１４０の種類の識別情報、つまり各パートの識別情報である（図５（ｂ）に示すパートカード識別情報ａ〜ｃ参照）。
パートカード制御部１４１ｄは、パートカード１４０を統括的に制御する制御部である。
アナログ回路１４１ｅは、アナログ回路１３１ｅと同様な装置であり、パートカード制御部１４１ｄへの電圧供給、クロック供給、データ入出力等を行う。
【００３９】
単独カード１６０は、電磁カード６０に対応するカードである。
単独カード１６０は、単独カードＩＣチップ１６１、単独カードループアンテナ１６３を備える。
単独カードＩＣチップ１６１は、単独カード記憶部１６１ａ、単独カード制御部１６１ｄ、アナログ回路１６１ｅを備える。
単独カード記憶部１６１ａは、単独カード識別情報１６１ｂを記憶する。
単独カード識別情報１６１ｂは、各単独カード１６０の種類の識別情報、つまり各管理者の識別情報である（図５（ｃ）に示す単独カード識別情報Ａ２〜Ｃ２参照）。
単独カード制御部１６１ｄは、単独カード１６０を統括的に制御する。
アナログ回路１６１ｅは、アナログ回路１３１ｅと同様な装置であり、単独カード制御部１６１ｄへの電圧供給、クロック供給、データ入出力等を行う。
リーダライタ１２０は、複合機１１０と一体で設けられているか、又は複合機１１０と通信ケーブル等により接続されている。
【００４０】
図６は、第１実施形態の複合機セキュリティシステム１０１の動作を示すフローチャートである。
最初に、ステップＳ（以下、「Ｓ」という）１において、複合機セキュリティシステム１０１は、一連の処理を開始する。
ここで、管理者が、複合機１１０を利用する場合には、単独カード１６０をリーダライタ１２０上に載置する。一方、パートが、複合機１１０を利用する場合には、管理者から貸出カード１３０を借りて、リーダライタ１２０上に載置する。
Ｓ２において、リーダライタ１２０は、載置されたカードのＩＣチップから識別情報を読み取り、複合機制御部１１５に出力する。
【００４１】
Ｓ３において、複合機制御部１１５は、リーダライタ１２０上に載置されたカードが、単独カード１６０であるか否かを判定する。
複合機制御部１１５は、単独カードテーブル１１４ｃを参照し、Ｓ２で読み出した識別情報がテーブル登録情報内にある場合には単独カード１６０であると判定し（Ｓ３：ＹＥＳ）、Ｓ４に進み、一方、識別情報がない場合には単独カード１６０ではないと判定し（Ｓ３：ＮＯ）、Ｓ３ａに進む。
【００４２】
Ｓ３ａにおいて、複合機制御部１１５は、リーダライタ１２０上に載置されたカードが貸出カード１３０であるか否かを判定する。
複合機制御部１１５は、貸出カードテーブル１１４ａを参照して、Ｓ２で読み出した識別情報が貸し出しカード識別情報と一致する場合には貸出カード１３０であると判定し（Ｓ３ａ：ＹＥＳ）、Ｓ３ｂに進み、一方、識別情報がない場合には貸出カード１３０ではないと判定し（Ｓ３ａ：ＮＯ）、Ｓ２からの処理を繰り返す。
【００４３】
なお、上記Ｓ３、Ｓ３ａの処理により、リーダライタ１２０上に載置されたカードがパートカード１４０である場合や、登録されていないカードである場合には（Ｓ３：Ｎｏ、かつ、Ｓ３ａ：Ｎｏ）、複合機制御部１１５は、Ｓ２からの処理を繰り返すことになる。
【００４４】
Ｓ３ｂにおいて、複合機制御部１１５は、報知部１１３を制御して、パートに対して、パートカード１４０を貸出カード１３０上に載置するように報知する。報知方法は、表示装置による表示でもよく、スピーカによる音声出力でもよい。
ここで、パートが自分のパートカード１４０を、貸出カード１３０上に載置すると、リーダライタ１２０上には、パートカード１４０、貸出カード１３０による組みカード１５０が構成される。これにより、複合機制御部１１５及びパートカード１４０間は、通信可能な状態になる。
Ｓ３ｃにおいて、リーダライタ１２０は、載置されたカードのＩＣチップから識別情報を読み取り、複合機制御部１１５に出力する。
【００４５】
Ｓ３ｄにおいて、複合機制御部１１５は、リーダライタ１２０上に載置されたカードが、パートカード１４０であるか否かを判定する。
複合機制御部１１５は、パートカードテーブル１１４ｂを参照して、Ｓ３ｃで読み出した識別情報がある場合にはパートカード１４０であると判定し（Ｓ３ｄ：ＹＥＳ）、Ｓ４に進み、一方、識別情報がない場合にはパートカード１４０ではないと判定し（Ｓ３ｄ：ＮＯ）、Ｓ２からの処理を繰り返す。
なお、このＳ３ｄの処理により、リーダライタ１２０上に載置されたカードがパートカード１４０ではない場合や、登録されていないカードである場合には（上記Ｓ３ｄ：Ｎｏ）、複合機制御部１１５は、Ｓ２からの処理を繰り返すことになる。
【００４６】
Ｓ４において、複合機制御部１１５は、操作部１１１の操作を受け付ける状態として、駆動部１１２の駆動を許可する。
なお、これまでの処理において、Ｓ４に進む場合は、以下の２通りである。
・管理者使用の場合：単独カード１６０のみによって、複合機制御部１１５が適正であると判定した場合（Ｓ３：ＹＥＳ）。
このため、管理者は、従来と同様に、複合機１１０を簡単に利用できる。
・パート使用の場合：組みカード１５０が構成され、複合機制御部１１５が適正であると判定した場合（Ｓ３ａ：ＹＥＳ、かつ、Ｓ３ｄ：ＹＥＳ）。
これにより、パートは、必ず、管理者から貸出カード１３０を借りる必要がある。このため、複合機セキュリティシステム１０１は、パートが社内文書等を自分の判断でコピー、ＦＡＸしてしまうことを抑制でき、セキュリティ性を向上できる。
【００４７】
Ｓ５において、複合機制御部１１５は、操作部１１１の操作情報に基づいて、コピーが選択されたか否かを判定する。複合機制御部１１５は、コピーが選択されたかと判定した場合には（Ｓ５：ＹＥＳ）、Ｓ５ａに進み、一方、コピーが選択されずＦＡＸが選択されたと判定した場合には（Ｓ５：ＮＯ）、Ｓ５ｂに進む。
Ｓ５ａにおいて、複合機制御部１１５は、操作部１１１の操作情報に基づいてコピー部１１２ｂを駆動する。複合機制御部１１５は、コピーが終了すると、Ｓ６に進む。
Ｓ５ｂにおいて、複合機制御部１１５は、操作部１１１の操作情報に基づいてＦＡＸ部１１２ａを駆動する。複合機制御部１１５は、ＦＡＸが終了すると、Ｓ６に進む。
【００４８】
Ｓ６において、図５（ｄ）に示すように、複合機制御部１１５は、この処理における履歴情報を、使用履歴１１４ｄに記憶する。複合機制御部１１５は、使用時の日時、使用した機能に対応付けて、以下の情報を記憶する。
・単独カード１６０の場合（Ｓ３：ＹＥＳ）：単独カード１６０の管理者識別情報
・組みカード１５０の場合（Ｓ３ａ：ＹＥＳ、かつ、Ｓ３ｄ：ＹＥＳ）：貸出カード１３０の管理者識別情報、パートカード識別情報
【００４９】
例えば、図５（ｄ）に示す行１１４ｄ−１には、日時「２００／１２／０２  １５：００」に、組みカード使用「管理者識別情報Ｂ１及びパートカード識別情報ｃ」、使用機能「コピー」という使用履歴が記憶されている。このため、会社は、この使用履歴と、貸出カードテーブル１１４ａ、パートカードテーブル１１４ｂを参照することにより、この日時に、パート加藤が管理者野田から貸出カード１３０を借りて、コピーを使用したことを確認できる。
同様に、会社は、行１１４ｄ−２の使用履歴、単独カードテーブル１１４ｃを参照することにより、管理者古田が、単独でコピーを使用したことを確認できる。
【００５０】
これにより、複合機セキュリティシステム１０１は、誰がいつ複合機１１０を使用したかに関する情報を、使用履歴１１４ｄに記憶できる。このため、会社は、例えば情報の流出があった場合等に、使用履歴１１４ｄを参照して、原因特定に役立てることができる。
【００５１】
Ｓ７において、複合機制御部１１５は、電源がオフにされたか等により、一連の処理を終了するか否かを判定する。複合機制御部１１５は、処理終了と判定した場合には（Ｓ７：ＹＥＳ）、Ｓ８進んで処理終了し、一方、処理終了ではないと判定した場合には（Ｓ７：ＮＯ）、Ｓ２からの処理を繰り返す。
【００５２】
以上説明したように、本実施形態は、以下の効果を奏する。
（１）リーダライタ１２０及びパートカード１４０は、貸出カード１３０を介して信号伝達できる。
（２）パートカード１４０にループアンテナを形成する必要がなく、１対のプレートを設ければよいので、従来の複雑なエッチング等のアンテナ形成工程が不要となり、パートカード１４０を低コストで製造できる。このため、パートカード１４０の発行量が多くなる程、コスト面で有利になり、低コストでシステムを構築できる。
ここで、パートの雇用期間は、通常、管理者等の社員よりも短い。このため、パートカード１４０は、発行量が多くなる。この場合でも、パートカード１４０が低コストであるので、低コストで運用できる。
（３）市場で多く流通している電磁誘導方式又は電磁結合方式のリーダを流用してシステムを構築できるので、低コストで導入できる。すなわち、パートカードＩＣチップ１４１として、市場に多く流通している電磁誘導方式の非接触カードに用いられるＩＣチップを流用でき、かつ、リーダライタ１２０として、既存の電磁誘導方式のリーダライタを流用できる。これにより、静電結合用の特殊なＩＣチップと、リーダライタとを新たに開発する必要なく、システムを構築できる。
（４）組みカード１５０がリーダライタ１２０に配置された場合に、複合機制御部１１５及びパートカードＩＣチップ１４１間の通信処理の結果が適正であると判定した場合に、複合機１１０の動作を許可する。パートカードのみで電子機器を操作させないことで、情報漏えいを防ぎ、セキュリティ性を向上できる。
（５）組みカード１５０を、リーダライタ１２０に配置することにより、パートカード１４０及びリーダライタ１２０間で信号伝達するという新しい通信方法を提供できる。
【００５３】
なお、パートは、貸出カード１３０、パートカード１４０を予め組みカード１６０の状態にしたものを、リーダライタ１２０上に載置してもよい。この場合には、報知部１１３、報知工程（Ｓ３ｂ）が不要になるので、構成、処理を簡単にすることができる。また、この場合には、貸出カードループアンテナ１３３及びＲ／Ｗループアンテナ１２３間が通信可能であれば、パートは、貸出カード１３０を上側Ｚ２、パートカード１４０を下側Ｚ１になるように組みカード１７０を構成してもよい。
【００５４】
また、貸出カード１３０は、貸出カードＩＣチップ１３１を備えなくてもよい。この場合にも、複合機制御部４１５は、貸出カード１３０がなければ、パートカード１４０とのの間で通信することができない。このため、パートは、複合機１１０を使用する場合には、管理者から貸出カード１３０を借りる必要がある。これにより、この場合にも、セキュリティ性を向上できる。
【００５５】
（第２実施形態）
次に、本発明の第２実施形態について説明する。
図７は、第２実施形態の複合機セキュリティシステム２０１のブロック図である。
図８は、第２実施形態の管理者テーブル２１４ａ、パートカードテーブル２１４ｂを示す表である。
【００５６】
図７に示すように、複合機セキュリティシステム２０１は、第１実施形態とは異なり、貸出カード２４０が容量結合カード、パートカード２３０が中継カードである。
図８に示すように、管理者テーブル２１４ａは、異なるカードである貸出カード２４０及び単独カード２６０の管理者識別情報２４１ｂ，２６１ｂ（Ａ１〜Ｃ１）を、共通で記憶している。つまり、貸出カード２４０及び単独カード２６０の管理者が同じであれば、その管理者の管理者識別情報２４１ｂの管理者識別情報２４１ｂと、単独カード２６０の管理者識別情報２６１ｂとは、同じ識別情報である。この理由は、後述する。
【００５７】
図９は、第２実施形態の複合機セキュリティシステム２０１の動作を示すフローチャートである。
Ｓ２０３ａにおいて、複合機制御部２１５は、パートカードテーブル２１４ｂを参照して、リーダライタ１２０上に載置されたカードがパートカード２３０であるか否かを判定する。
【００５８】
Ｓ２０３ｂにおいて、複合機制御部２１５は、報知部１１３を制御して、パートに対して、貸出カード２５０をパートカード２３０上に載置するように報知する。
ここで、パートが貸出カード２５０を、自分のパートカード２３０上に載置すると、リーダライタ１２０上には、パートカード２３０、貸出カード２４０からなる組みカード２５０が構成される。これにより、複合機制御部２１５及び貸出カード２４０間は、信号伝達可能な状態になる。
Ｓ２０３ｃにおいて、リーダライタ１２０は、リーダライタ１２０上に載置されたカードのＩＣチップから識別情報を読み取り、複合機制御部２１５に出力する。
【００５９】
Ｓ２０３ｄにおいて、複合機制御部２１５は、リーダライタ１２０上に載置されたカードが、貸出カード２４０であるか否かを判定する。この場合、複合機制御部２１５は、管理者テーブル２１４ａを参照して、Ｓ２０３ｃで読み出した識別情報が管理者識別情報２４１ｂであるＡ１〜Ａ３のいずれかと一致する場合には、貸出カード２４０と判定し、一方、Ａ１〜Ａ３のいずれとも一致しない場合には、貸出カード２４０ではないと判定する。
複合機制御部２１５は、貸出カード２４０であると判定した場合には（Ｓ２０３ｄ：ＹＥＳ）、Ｓ４に進み、一方、貸出カード２４０ではないと判定した場合には（Ｓ２０３ｄ：ＮＯ）、Ｓ２からの処理を繰り返す。
Ｓ４において、複合機制御部２１５は、操作部１１１の操作を受け付ける状態として、駆動部１１２の駆動を許可する。
Ｓ６において、図８（ｄ）に示すように、複合機制御部２１５は、この処理における履歴情報を、使用履歴２２４ｄに記憶する。
これにより、会社は、第１実施形態と同様に、複合機２１０の使用履歴を調べることができる。この場合、管理者の履歴に関するものは、管理者使用、パート使用のいずれのときでも、使用履歴２２４ｄ、管理者テーブル２１４ａを参照すればよい。
【００６０】
上記処理において、Ｓ４に進むカード構成は、第１実施形態と同様である。
但し、パート使用の場合において、複合機制御部２１５が貸出カード２４０と信号伝達するためには、中継カードの機能を有するパートカード２３０が必要である。つまり、パート使用の場合には、必ず、複合機制御部２１５は、パートカード識別情報２３１ｂと一体で、管理者識別情報２４１ｂを読み取るようになっている。
このため、管理者識別情報２４１ｂを照合できた場合において（Ｓ２０３ｄ：ＹＥＳ）、その前工程でパートカードであると判定していたときは（Ｓ２０３ａ：ＹＥＳ）、パート使用の場合のみである。そのため、貸出カード２４０及び単独カード２６０から同じ識別情報２３１ｂ，２４１ｂ（Ａ１〜Ａ３）が同じでも、複合機制御部２１５は、管理者使用とパート使用とを分別できる。これにより、同一の管理者であれば、同一の管理者識別情報２４１ｂ，２６１ｂを異なるカード２４０，２６０に利用できるので、システム管理者等は、管理者識別情報の管理を簡易化できる。
【００６１】
以上説明したように、本実施形態の複合機セキュリティシステム２０１は、管理者識別情報の管理を簡易化できる。
【００６２】
（第３実施形態）
図１０は、第３実施形態の機器セキュリティシステム３０１の基本構成を説明する図（図１に対応する図）である。
図１１は、第３実施形態の複合機セキュリティシステム４０１のブロック図である。
図１０に示すように、機器セキュリティシステム３０１のリーダライタ３２０は、従来の電磁誘導方式のリーダライタ３２０に中継カード３３０が両面テープ等で固定され、中継カード３３０と一体的に設けられている。
このため、機器セキュリティシステム３０１では、利用者が携行して利用できるカードは、容量結合方式の容量結合カード３４０のみである。すなわち、機器セキュリティシステム３０１は、異なる利用者が携行するカードを、組みカードにする使用態様ではない。
なお、リーダライタ３２０を流用するのではなく、新たに作製する場合には、中継カード３３０を組み込んで一体的にしてもよい。また、中継カード３３０は、カード形態ではなくてもよい。
【００６３】
図１１に示すように、このため、機器セキュリティシステム３０１を複合機セキュリティシステム４０１に適用する場合は、管理者、パートが以下のようなカードを所持する。
管理者は、貸出カード４４０−１、単独カード４４０−３を所持する。これらは、容量結合カードである。
パートは、パートカード４４０−２を所持する。これは、容量結合カードである。
貸出カード４４０−１、単独カード４４０−３、パートカード４４０−２の識別情報４４１ｂ−１，４４１ｂ−２，４４１ｂ−３は、全て異なる。このため、貸出カードテーブル４１４ａ，パートカードテーブル４１４ｂ，単独カードテーブル４１４ｃが記憶する各識別情報は、第１実施形態の図５（ａ）から図５（ｃ）に示すテーブルと同様に、全て異なる。
【００６４】
図１２は、第３実施形態の複合機セキュリティシステム４０１の動作を示すフローチャートである。
Ｓ４０２において、リーダライタ４２０の中継プレート４３２Ａ，４３２Ｂは、リーダライタ４２０上に載置されたカードのプレートと静電結合する。複合機制御部４１５は、このカードのＩＣチップから識別情報を読み出す。
Ｓ４０３において、複合機制御部４１５は、Ｓ４０２で読み出した識別情報に基づいて、単独カードテーブル４１４ｃを参照し（図５（ｃ）の単独カードテーブル１１４ｃ参照）、リーダライタ４２０上に載置されたカードが単独カード４４０−３であるか否かを判定する。
【００６５】
Ｓ４０３ａにおいて、複合機制御部４１５は、Ｓ４０２で読み出した識別情報に基づいて、貸出カードテーブル４１４ａを参照し（図５（ａ）の貸出カードテーブル１１４ａ参照）、リーダライタ４２０上に載置されたカードが貸出カード４４０−１であるか否かを判定する。
Ｓ４０３ｂにおいて、複合機制御部４１５は、報知部１１３を制御して、パートに対して、リーダライタ４２０上から貸出カード４４０−１を取り除き、代わりにパートカード４４０−２を載置するように報知する。ここで、パートは、貸出カード４４０−１を取り除き、自分のパートカード４４０−２をリーダライタ４２０上に載置する。
【００６６】
Ｓ４０３ｃにおいて、複合機制御部４１５は、Ｓ４０２と同様に、リーダライタ４２０上に載置されたカードのＩＣチップから識別情報を読み出す。
Ｓ４０３ｄにおいて、複合機制御部４１５は、Ｓ４０３ｃで読み出した識別情報に基づいて、パートカードテーブル４１４ｂを参照し（図５（ｂ）のパートカードテーブル１１４ｂ参照）、リーダライタ４２０上に載置されたカードがパートカード４４０−２であるか否かを判定する。
その後の処理は、第１実施形態と同様である。
なお、Ｓ４０６では、複合機制御部４１５は、第１実施形態のＳ６と同様な使用履歴を記憶する（図５（ｄ）参照）。
【００６７】
以上説明したように、本実施形態のセキュリティシステムは、リーダライタ４２０上に交互に容量結合カードを載置する使用形態にすることにより、第１実施形態と同様に、使用履歴を記憶できる。これにより、セキュリティ性を向上し、また、情報流出等の原因特定に役立てることができる。
【００６８】
以上、本発明の実施形態について説明したが、本発明は前述した実施形態に限定されるものではなく、後述する変形形態のように種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。なお、前述した実施形態及び後述する変形形態は、適宜組み合わせて用いることもできるが、詳細な説明は省略する。
【００６９】
（変形形態）
（１）実施形態において、リーダライタ及び中継カードは、電磁誘導方式により信号伝達する例を示したが、これに限定されない。例えば、リーダライタ及び中継カードは、電磁結合方式によって信号伝達してもよい。この場合には、容量結合カードに設けるＩＣチップを、電磁結合方式によって信号伝達できるタイプにすればよい。
なお、電磁結合は、原理的には電磁誘導と同じである。また、電磁結合方式の信号伝達とは、カード側のアンテナとリーダライタ側のアンテナを向かい合わせて、電磁誘導により信号伝達することをいう。
【００７０】
（２）実施形態において、容量結合カードは、クレジットカード等と同じように、外形が８５．６×５４ｍｍの例を示したが、これに限定されない。容量結合カードの外形は、これよりも小さくてもよい。容量結合カードは、一対のプレートを設ければよいので、ループアンテナを設ける場合と比較すると、カード外形を小さくできる。これにより、容量結合カードは、さらに低コストで製造できる。
【符号の説明】
【００７１】
１，３０１…機器セキュリティシステム    １０，３１０…電気機器    １２，４１２…駆動部    １５，４１５…制御部    ２０，１２０，３２０，４２０…リーダライタ    ２３，１２３，３２３，４２３…Ｒ／Ｗループアンテナ    ３０，３３０…中継カード    ３１，３３１…中継カードＩＣチップ    ３２Ａ，３２Ｂ，３３２Ａ，３３２Ｂ，４３２Ａ，４３２Ｂ…中継プレート    ３３，３３３，４３３…中継ループアンテナ    ４０，３４０…容量結合カード    ４１，３４１…容量結合カードＩＣチップ    ４２Ａ，４２Ｂ，３４２Ａ，３４２Ｂ…容量結合カードプレート    ５０，１５０，２５０…組みカード    １０１，２０１，４０１…複合機セキュリティシステム    １１０，２１０，４１０…複合機    １１２…駆動部    １１３…報知部    １１５，２１５，４１５…複合機制御部    １３０，２４０，４４０−１…貸出カード    １３１，２４１，４４１−１…貸出カードＩＣチップ    １３２Ａ，１３２Ｂ，２４２Ａ，２４２Ｂ，４４２Ａ−１，４４２Ｂ−１…貸出カードプレート    １３３…貸出カードループアンテナ    １４０，２３０，４４０−２…パートカード    １４１，２３１，４４１−２…パートカードＩＣチップ    １４２Ａ，１４２Ｂ，２３２Ａ，２３２Ｂ，４４２Ａ−２，４４２Ｂ−２…パートカードプレート
【図１】
0006003262.tif 000002
【図２】
0006003262.tif 000003
【図３】
0006003262.tif 000004
【図４】
0006003262.tif 000005
【図５】
0006003262.tif 000006
【図６】
0006003262.tif 000007
【図７】
0006003262.tif 000008
【図８】
0006003262.tif 000009
【図９】
0006003262.tif 000010
【図１０】
0006003262.tif 000011
【図１１】
0006003262.tif 000012
【図１２】
0006003262.tif 000013